(57)【要約】【課題】ネットワークアクセス手段や通信方式の異なる端末同士の通信を可能とする無線アクセスポイントやゲートウェイ機能を持った通信装置を提供する。【解決手段】１つまたは複数のドメイン内で通信ができる状態にある１つまたは複数の端末の情報を収集、記憶する端末情報管理手段を持った通信装置と、該通信装置に前記収集した端末情報の問い合わせを行う問い合わせ端末と、該問い合わせ端末が前記通信装置から受信した端末情報の中から選択した１つまたは複数の端末とから構成された通信システムにおいて、前記問い合わせ端末は、選択した１つまたは複数の端末と前記端末情報管理手段を持った通信装置を介して通信を行うようにしたので、様々なエンドポイント端末間での通信が可能となり、ユーザの利便性が向上するという効果を得る。【選択図】        図１
2005086610.tif 000002
【特許請求の範囲】
【請求項１】
１つまたは複数のドメイン内で通信ができる状態にある１つまたは複数の端末の情報を収集、記憶する端末情報管理手段を持った通信装置と、該通信装置に前記収集した端末情報の問い合わせを行う問い合わせ端末と、該問い合わせ端末が前記通信装置から受信した端末情報の中から選択した１つまたは複数の端末とから構成された通信システムにおいて、
前記問い合わせ端末は、選択した１つまたは複数の端末と前記端末情報管理手段を持った通信装置を介して通信を行うことを特徴とする通信システム。
【請求項２】
１つまたは複数のドメイン内で通信ができる状態にある１つまたは複数の端末の情報を収集、記憶する端末情報管理手段を持った通信装置が複数存在し、第１の通信装置を介して他の第２の通信装置に前記収集した端末情報の問い合わせを行う問い合わせ端末と、該問い合わせ端末が前記第２の通信装置から受信した端末情報の中から選択した１つまたは複数の端末と、前記第１と第２の通信装置とから構成された通信システムにおいて、
前記問い合わせ端末は、選択した１つまたは複数の端末と前記端末情報管理手段を持った２つの通信装置を介して通信を行うことを特徴とする通信システム。
【請求項３】
請求項１または請求項２に記載の通信システムにおいて、端末情報は端末が実行可能なアプリケーションであることを特徴とする通信システム。
【請求項４】
請求項１または請求項２に記載の通信システムにおいて、端末情報は端末の持つ能力リストであることを特徴とする通信システム。
【請求項５】
請求項１または請求項２に記載の通信システムにおいて、端末情報管理手段を持った通信装置はプロトコルの変換を行うゲートウェイ機能を持つことを特徴とする通信システム。
【請求項６】
請求項１または請求項２に記載の通信システムにおいて、端末情報管理手段を持った通信装置は無線通信と有線通信とをブリッジするアクセスポイント機能を持つことを特徴とする通信システム。
【請求項７】
請求項６に記載のアクセスポイント機能を持つ通信装置は、複数の無線通信方式を切り替えて実行可能であることを特徴とする通信システム。
【請求項８】
請求項６に記載のアクセスポイント機能を持つ通信装置は、複数の無線通信方式を同時に実行可能であることを特徴とする通信システム。
【発明の詳細な説明】
【技術分野】
【０００１】
本発明は、有線ＬＡＮ、無線ＬＡＮ、Ｂｌｕｅｔｏｏｔｈ等の複数の通信方式が混在したネットワークにて、エンドポイントである端末間で無線アクセスポイントやゲートウェイ装置を介して通信を行う通信システムに関する。
【背景技術】
【０００２】
従来、例えば、有線ＬＡＮ、無線ＬＡＮ、Ｂｌｕｅｔｏｏｔｈ等の複数の通信方式が混在したネットワークにて、エンドポイントである端末間で無線アクセスポイントやゲートウェイ装置を介して通信を行う通信システムとしては、無線ノードから送られて来る、無線ノードが提供可能なサービス等の情報を基に、ユーザが接続する無線ノードを選択するようにしたもの（特許文献１参照）や、ＩＰネットワークやＷＡＮ、またはＰＳＴＮに接続するためのゲートウェイ装置にインターフェースする固定ベースステーションと通信するポータブル無線卓上電話を設けたもの（特許文献２参照）が提案されている。
【特許文献１】特開２０００−１１５１７３号公報
【特許文献２】特開２０００−１８３９７７号公報
【発明の開示】
【発明が解決しようとする課題】
【０００３】
しかしながら、特許文献１の通信システムでは、無線ノードから送られて来る、無線ノードが提供可能なサービス等の情報を基に、ユーザが接続する無線ノードを選択することができるが、複数の無線通信方式が混在するネットワークについては記載されていない。従って、異なる複数の無線方式の無線ノードが存在する場合は、接続を希望する無線ノードに接続することができない場合がある、といった問題があった。
【０００４】
また、特許文献２の通信システムでは、ＩＰネットワークやＷＡＮ、またはＰＳＴＮに接続するためのゲートウェイ機能と無線アクセスポイントとを組み合わせた装置を示しているが、接続相手側の無線アクセスポイントに接続された端末情報を問い合わせる手段が無い。そのため、特に電話以外の端末同士が複数の無線アクセスポイントを介して通信を行うことができない、といった問題があった。
【０００５】
また、有線ネットワークと無線ネットワークに接続し、さらに複数の通信方式を実行可能な会議端末が会議室に設置される場合がある。この場合、会議が開催されていない空き時間や会議で会議端末が使用されていない場合等、会議端末が利用されない時間が多い場合がある。
【０００６】
また、近年、複写機、プリンタ、ファクシミリ装置等のオフィス機器に無線通信機能が付加され、ＰＣ等から無線により直接プリントできる装置が出始めている。これらのオフィス機器もプリントファイル転送等で無線通信が実行される機会があまり多くなく、無線通信が実行されていない時間が多い場合がある。
【０００７】
本発明は、かかる実情に鑑みてなされたものであり、ネットワークアクセス手段や通信方式の異なる端末同士の通信を可能とする通信システムを提供することを目的としている。さらに、特定の業務以外にも会議端末やオフィス機器をネットワークアクセス手段として利用できるようにすることを目的とする。
【課題を解決するための手段】
【０００８】
本発明は、１つまたは複数のドメイン内で通信ができる状態にある１つまたは複数の端末の情報を収集、記憶する端末情報管理手段を持った通信装置と、該通信装置に前記収集した端末情報の問い合わせを行う問い合わせ端末と、該問い合わせ端末が前記通信装置から受信した端末情報の中から選択した１つまたは複数の端末とから構成された通信システムにおいて、前記問い合わせ端末は、選択した１つまたは複数の端末と前記端末情報管理手段を持った通信装置を介して通信を行うようにしたものである。
【０００９】
また、１つまたは複数のドメイン内で通信ができる状態にある１つまたは複数の端末の情報を収集、記憶する端末情報管理手段を持った通信装置が複数存在し、第１の通信装置を介して他の第２の通信装置に前記収集した端末情報の問い合わせを行う問い合わせ端末と、該問い合わせ端末が前記第２の通信装置から受信した端末情報の中から選択した１つまたは複数の端末と、前記第１と第２の通信装置とから構成された通信システムにおいて、前記問い合わせ端末は、選択した１つまたは複数の端末と前記端末情報管理手段を持った２つの通信装置を介して通信を行うようにしたものである。
【００１０】
また、前記端末情報は端末が実行可能なアプリケーションである。
【００１１】
また、前記端末情報は端末の持つ能力リストである。
【００１２】
また、前記端末情報管理手段を持った通信装置はプロトコルの変換を行うゲートウェイ機能を持つものである。
【００１３】
また、前記端末情報管理手段を持った通信装置は無線通信と有線通信とをブリッジするアクセスポイント機能を持つものである。
【００１４】
また、前記アクセスポイント機能を持つ通信装置は、複数の無線通信方式を切り替えて実行可能なものである。
【００１５】
また、前記アクセスポイント機能を持つ通信装置は、複数の無線通信方式を同時に実行可能なものである。
【発明の効果】
【００１６】
したがって、本発明によれば、ネットワークアクセス手段や通信方式の異なる端末同士の通信を可能とする無線アクセスポイントやゲートウェイ機能を持った通信装置を使用することにより、様々なエンドポイント端末間での通信が可能となり、ユーザの利便性が向上するという効果を得る。特に、相手端末のアドレスがわからない場合に利便性の効果が大きくなる。
【発明を実施するための最良の形態】
【００１７】
以下、添付図面を参照しながら、本発明の実施の形態を詳細に説明する。
【００１８】
まず、近距離無線通信を実行するエンドポイントの端末同士が、ゲートウェイ機能を持った無線アクセスポイントを２個介して相互に通信する場合について説明する。
【００１９】
ここで、本実施例では、無線通信システムとしてＢｌｕｅｔｏｏｔｈを用いる。なお、本発明は近距離無線通信システムとして他の規格の通信システムも適用することが可能である。
【００２０】
このＢｌｕｅｔｏｏｔｈ規格は、（１）パーソナルエリアネットワーク（ＰＡＮ：Ｐｅｒｓｏｎａｌ  Ａｒｅａ  Ｎｅｔｗｏｒｋ）プロファイルと、（２）コードレス電話プロファイルを有している。
【００２１】
そして、ＰＡＮは、リンクレイヤであるＬ２ＣＡＰ（Ｌｏｇｉｃａｌ  Ｌｉｎｋ  Ｃｏｎｔｒｏｌ  ａｎｄ  ＡｄａＰｔａｔｉｏｎ  Ｐｒｏｔｏｃｏｌ）の上位レイヤにＢＮＥＰ（Ｂｌｕｅｔｏｏｔｈ  Ｎｅｔｗｏｒｋ  ＥｎｃａＰｓｕｌａｔｉｏｎ  Ｐｒｏｔｏｃｏｌ）を使用し、ＢＮＥＰの上位レイヤにＴＣＰ／ＩＰを乗せており、ＴＣＰ／ＩＰを使用した通信を実行する。
【００２２】
図１は、本発明の一実施例にかかる通信システムの一例を示している。
【００２３】
同図において、拠点Ａにはイアホンマイク（イアホンとマイクを１つのデバイスに内蔵したもの）２が接続されたＰＤＡ（Ｐｅｒｓｏｎａｌ  Ｄｉｇｉｔａｌ  Ａｓｓｉｓｔａｎｔ；携帯端末装置）１とＢｌｕｅｔｏｏｔｈアクセスポイント３があり、拠点Ｂにはイアホンマイク６が接続されたＰＤＡ５とＢｌｕｅｔｏｏｔｈアクセスポイント４がある。
【００２４】
Ｂｌｕｅｔｏｏｔｈアクセスポイント３とＢｌｕｅｔｏｏｔｈアクセスポイント４はイーサネットによりＷＡＮ（Ｗｉｄｅ  Ａｒｅａ  Ｎｅｔｗｏｒｋ）に接続されており、Ｂｌｕｅｔｏｏｔｈのプロトコルとイーサネット上のプロトコルであるＴＣＰ／ＩＰとを相互に変換するゲートウェイとして機能する。
【００２５】
ＰＤＡ１とＰＤＡ５は通信手段としてＢｌｕｅｔｏｏｔｈを実装し、Ｂｌｕｅｔｏｏｔｈの実行可能プロファイルは、ＰＡＮプロファイルとコードレス電話プロファイルである。
【００２６】
また、Ｂｌｕｅｔｏｏｔｈアクセスポイント３とＢｌｕｅｔｏｏｔｈアクセスポイント４もＢｌｕｅｔｏｏｔｈのＰＡＮプロファイルとコードレス電話プロファイルを実行可能である。
【００２７】
ＢｌｕｅｔｏｏｔｈのＰＡＮプロファイルのプロトコル構成を図２に、コードレス電話プロファイルのプロトコル構成を図３に示す。
【００２８】
図２および図３において、ＳＤＰはＳｅｒｖｉｃｅ  Ｄｉｓｃｏｖｅｒｙ  Ｐｒｏｔｏｃｏｌ、ＬＭＰはＬｉｎｋ  Ｍａｎａｇｅｒ  Ｐｒｏｔｏｃｏｌ、ＭＥはＭａｎａｇｅｍｅｎｔ  Ｅｎｔｉｔｙである。
【００２９】
図３において、ＴＣＳはＴｅｌｅＰｈｏｎｙ  Ｃｏｎｔｒｏｌ  Ｐｒｏｔｏｃｏｌ  ＳＰｅｃｉｆｉｃａｔｉｏｎであり、電話接続や音声チャネルの確立を行う。また、ベースバンド中のＡＣＬはＡｓｙｎｃｈｒｏｎｏｕｓ  Ｃｏｎｎｅｃｔｉｏｎ−Ｌｅｓｓリンク、ＳＣＯはＳｙｎｃｈｒｏｎｏｕｓ  Ｃｏｎｎｅｃｔｉｏｎ−Ｏｒｉｅｎｔｅｄリンクである。音声データはこのＳＣＯリンクを用いてアプリケーションと送受信される。
【００３０】
Ｂｌｕｅｔｏｏｔｈアクセスポイント３とＢｌｕｅｔｏｏｔｈアクセスポイント４はＢｌｕｅｔｏｏｔｈのＰＡＮプロファイルを実行する場合はＢｌｕｅｔｏｏｔｈ通信により受信したデータからＢＮＥＰより上位に位置するプロトコルデータ、すなわちＴＣＰ／ＩＰデータを切り出し、イーサネットに送出する。
【００３１】
また、イーサネットから受信するＴＣＰ／ＩＰデータに対してはＢＮＥＰ以下に位置するプロトコルデータを付加して、さらにＲＦ信号にして送出する。
【００３２】
また、Ｂｌｕｅｔｏｏｔｈアクセスポイント３とＢｌｕｅｔｏｏｔｈアクセスポイント４はＢｌｕｅｔｏｏｔｈのコードレス電話プロファイルを実行する場合はＢｌｕｅｔｏｏｔｈ通信により受信した音声データをＵＤＰ／ＩＰパケットに入れてイーサネットに送出するとともに、イーサネットから受信するＵＤＰ／ＩＰ音声データに対してはＵＤＰ／ＩＰパケットから音声データを切り出してＲＦ信号にして送出する。
【００３３】
次に、拠点ＢにＢｌｕｅｔｏｏｔｈアクセスポイント４と通信できる端末が複数あり、拠点ＡのＰＤＡ１がこれらの端末の中に音声通信できる端末があるか否かをＢｌｕｅｔｏｏｔｈアクセスポイント４に問い合わせ、Ｂｌｕｅｔｏｏｔｈアクセスポイント４が音声通信できる端末情報を返し、ＰＤＡ１がこの端末情報により、拠点Ｂの希望する端末と音声通信できるようになるまでの手順について説明する（図５を参照）。
【００３４】
ここで、拠点Ｂに存在するＢｌｕｅｔｏｏｔｈ通信を実行可能な機器を図４に示す。
【００３５】
拠点Ｂには１つのＰＤＡと２台のノートＰＣが存在している。２台のノートＰＣにはＢｌｕｅｔｏｏｔｈ用のＰＣカード（ＰＣＭＣＩＡカード）が装着されており、ＢｌｕｅｔｏｏｔｈのＰＡＮプロファイルを実行可能な状態である。
【００３６】
最初に、拠点ＡのＰＤＡ１はＢｌｕｅｔｏｏｔｈアクセスポイント３を介してＢｌｕｅｔｏｏｔｈアクセスポイント４へ音声通信可能端末の問い合わせコマンドを送信する。
【００３７】
Ｂｌｕｅｔｏｏｔｈアクセスポイント４はこのコマンドを受信すると以下に説明するＢｌｕｅｔｏｏｔｈ手順により音声通信可能端末があるか否かをチェックする。
【００３８】
まず、インクワイアリ手順によりＢｌｕｅｔｏｏｔｈアクセスポイント４（マスター）と通信できる全てのスレーブ端末を認識する（図５の処理１０１）。
【００３９】
すなわち、Ｂｌｕｅｔｏｏｔｈアクセスポイント４は、ＩＤパケットを繰り返し送信し、これを受信したスレーブ端末はＢｌｕｅｔｏｏｔｈデバイスアドレス（ＢＤ＿ＡＤＤＲ）、自端末のシステムクロック等を含めたＦＨＳパケットを送信する。Ｂｌｕｅｔｏｏｔｈアクセスポイント４は、受信したＦＨＳパケットの個数（ＢＤ＿ＡＤＤＲの個数）からスレーブ端末の台数を認識する。例えば、図４に示した場合では、３台のスレーブ端末を認識する。
【００４０】
次に、Ｂｌｕｅｔｏｏｔｈアクセスポイント４は、３台のスレーブ端末と順次通信コネクションを確立する（図５の処理１０２）。
【００４１】
この通信コネクション確立手順について説明する。
【００４２】
Ｂｌｕｅｔｏｏｔｈアクセスポイント４はスレーブ端末から受信したＢＤ＿ＡＤＤＲの下位アドレス部分であるＬＡＰ（Ｌｏｗｅｒ  Ａｄｄｒｅｓｓ  Ｐａｒｔ）から導き出される同期ワードを含めたＩＤパケットを送信する。スレーブ端末は自端末のＢＤ＿ＡＤＤＲから導き出される同期ワードを含んだＩＤパケットを受信すると、ＩＤパケットで応答する。次に、Ｂｌｕｅｔｏｏｔｈアクセスポイント４はスレーブ端末の識別番号であるアクティブ・メンバー・アドレス（ＡＭ＿ＡＤＤＲ）に１をセットしたＦＨＳパケットを送信する。スレーブ端末はこれを受信するとＩＤパケットで応答する。
【００４３】
このとき、スレーブ端末はＦＨＳパケットに含まれたＢｌｕｅｔｏｏｔｈアクセスポイント４のシステムクロックに切り替わる。次に、Ｂｌｕｅｔｏｏｔｈアクセスポイント４はＰＯＬＬパケットを送信し、スレーブ端末はこれにＮＵＬＬパケットで応答して、ベースバンドレイヤのコネクションが確立する。
【００４４】
続いて、Ｂｌｕｅｔｏｏｔｈアクセスポイント４とスレーブ端末はリンク・マネージャ間（リンクレイヤ）のコネクション確立シーケンスに移行する。
【００４５】
Ｂｌｕｅｔｏｏｔｈアクセスポイント４はＬＭＰ＿ｈｏｓｔ＿Ｃｏｎｎｅｃｔｉｏｎ＿ｒｅｑ  ＰＤＵ（Ｐｒｏｔｏｃｏｌ  Ｄａｔａ  Ｕｎｉｔ）を送信し、スレーブ端末はＬＭＰ＿ａｃｃｅＰｔｅｄ  ＰＤＵで応答する。
【００４６】
次に、Ｂｌｕｅｔｏｏｔｈアクセスポイント４はＬＭＰ＿ｆｅａｔｕｒｅｓ＿ｒｅｑ  ＰＤＵを送信し、スレーブ端末はＬＭＰ＿ｆｅａｔｕｒｅｓ＿ｒｅｓ  ＰＤＵで応答して、自端末の持つ機能についての情報を交換する。
【００４７】
次に、Ｂｌｕｅｔｏｏｔｈアクセスポイント４はＬＭＰ＿ｓｅｔｕＰ＿ｃｏｍＰｌｅｔｅ  ＰＤＵを送信し、スレーブ端末はＬＭＰ＿ｓｅｔｕＰ＿ｃｏｍＰｌｅｔｅ  ＰＤＵで応答して、リンク・マネージャ間（リンクレイヤ）のコネクションが確立する。
【００４８】
続いて、Ｂｌｕｅｔｏｏｔｈアクセスポイント６はサービス・ディスカバリシーケンスを実行する。
【００４９】
Ｂｌｕｅｔｏｏｔｈアクセスポイント４のアプリケーションはＳＤＰタスクにサービス・ディスカバリ要求を出すと、ＳＤＰタスクはＬ２ＣＡＰタスクへまずＳＤＰ用のコネクションの接続要求（Ｌ２ＣＡ＿ＣｏｎｎｅｃｔＲｅｑイベント）を出す。
【００５０】
Ｌ２ＣＡＰタスクはこの要求を受けると、Ｃｏｎｎｅｃｔｉｏｎ  Ｒｅｑｕｅｓｔパケットを送信する。
【００５１】
スレーブ端末のＬ２ＣＡＰタスクは、このパケットを受信するとＳＤＰタスクへＬ２ＣＡ＿ＣｏｎｎｅｃｔＩｎｄメッセージを渡すとともにマスター端末へＣｏｎｎｅｃｔｉｏｎ  ＲｅｓＰｏｎｓｅパケットで応答してＳＤＰコネクションが確立する。
【００５２】
続いて、ＳＤＰタスクはＬ２ＣＡＰタスクへコンフィグレーション要求（Ｌ２ＣＡ＿ＣｏｎｆｉｇＲｅｑイベント）を出す。
【００５３】
Ｌ２ＣＡＰタスクはこの要求を受けると、サービス品質（ＱｏＳ：Ｑｕａｒｉｔｙ  ｏｆ  Ｓｅｒｖｉｃｅ）等のコンフィグレーションパラメータを含んだＣｏｎｆｉｇｕｒａｔｉｏｎ  Ｒｅｑｕｅｓｔパケットを送信する。
【００５４】
スレーブ端末のＬ２ＣＡＰタスクは、このパケットを受信するとＳＤＰタスクへＬ２ＣＡ＿ＣｏｎｆｉｇＩｎｄメッセージを渡すとともにＢｌｕｅｔｏｏｔｈアクセスポイント４へコンフィグレーションパラメータを含んだＣｏｎｆｉｇｕｒａｔｉｏｎ  ＲｅｓＰｏｎｓｅパケットで応答する。
【００５５】
次に、Ｂｌｕｅｔｏｏｔｈアクセスポイント４のＳＤＰタスクは電話であることを表すＵＵＩＤ（サービスの固有識別子）をＳｅｒｖｉｃｅＳｅａｒｃｈＰａｔｔｅｒｎパラメータに含めたＳＤＰ＿ＳｅｒｖｉｃｅＳｅａｒｃｈＲｅｑｕｅｓｔ  ＰＤＵを送信し、スレーブ端末が電話サービスを実行可能な場合はこのＳＤＰタスクはＳＤＰ＿ＳｅｒｖｉｃｅＳｅａｒｃｈＲｅｓＰｏｎｓｅ  ＰＤＵで応答する。
【００５６】
以上、Ｂｌｕｅｔｏｏｔｈアクセスポイント４と１つのスレーブ端末（例えばＰＤＡ５）との間でのサービス・ディスカバリシーケンスまでの手順について説明したが、他のスレーブ端末（ノートＰＣ１０とノートＰＣ１１）との間でも順次、同様の手順を実行する。
【００５７】
なお、ノートＰＣ１０とノートＰＣ１１は電話サービスが無いため、ＳＤＰ＿ＳｅｒｖｉｃｅＳｅａｒｃｈＲｅｓＰｏｎｓｅ  ＰＤＵで応答しない。このようにして、Ｂｌｕｅｔｏｏｔｈアクセスポイント４は電話通信を実行可能な端末として、ＰＤＡ５を検出する。
【００５８】
そして、Ｂｌｕｅｔｏｏｔｈアクセスポイント４はＢｌｕｅｔｏｏｔｈアクセスポイント３を介してＰＤＡ１へ音声通信が可能な端末としてＰＤＡ５の情報を送信する。
【００５９】
ＰＤＡ５の情報として、例えばその端末にユーザが登録したフレンドリーな名称（所有者の氏名等）を含める。
【００６０】
なお、このフレンドリーな名称は上述したインクワイアリ手順時にＰＤＡ５から受け取ることができる。
【００６１】
ＰＤＡ１はこの受信したＰＤＡ５の名称をディスプレイに表示し、ＰＤＡ１のユーザがＰＤＡ５のユーザと電話通信を行いたい場合には、Ｂｌｕｅｔｏｏｔｈアクセスポイント３に対してＢｌｕｅｔｏｏｔｈのＴＣＳを使用してＢｌｕｅｔｏｏｔｈアクセスポイント４を経由してＰＤＡ５に発呼する要求を出す。
【００６２】
Ｂｌｕｅｔｏｏｔｈアクセスポイント３はこの要求を受けると、Ｂｌｕｅｔｏｏｔｈアクセスポイント４に対してＩＴＵ−Ｔ勧告Ｈ．３２３に従った発呼を行う。
【００６３】
なお、ＰＤＡ５への発呼要求情報はＨ．３２３の発呼メッセージであるＳｅｔｕｐメッセージのＵＵＩ（Ｕｓｅｒ  Ｕｓｅｒ  Ｉｎｆｏｒｍａｔｉｏｎ）に含める。Ｂｌｕｅｔｏｏｔｈアクセスポイント４はこのＳｅｔｕｐメッセージを受けると、ＰＤＡ５に対してＢｌｕｅｔｏｏｔｈのＴＣＳを使用して電話発呼を行う。
【００６４】
ＰＤＡ５はこれに応答するとＢｌｕｅｔｏｏｔｈアクセスポイント４はＳｅｔｕｐメッセージに対する応答メッセージ（Ｃｏｎｎｅｃｔメッセージ）を返し、Ｂｌｕｅｔｏｏｔｈアクセスポイント３とＢｌｕｅｔｏｏｔｈアクセスポイント４との間のコネクションが確立し、ＰＤＡ１とＰＤＡ５との間で電話通信が実行可能となる。
【００６５】
なお、上述したの実施例では、電話通信を実行する場合について示したが、拠点ＡにＢｌｕｅｔｏｏｔｈのＰＡＮプロファイルを実行可能なノートＰＣがある場合には、拠点Ｂのアクセスポイント４に対して電話通信端末の代わりにＰＡＮプロファイル端末の問い合わせを行い、上記と同様の手順により、拠点ＡのノートＰＣは拠点ＢのノートＰＣとＰＡＮプロファイルを使用したデータ通信が実行可能となる。この詳細な説明については省略する。
【００６６】
ところで、上述した実施例では、無線アクセスポイントとしてＢｌｕｅｔｏｏｔｈアクセスポイントを適用した場合について説明したが、無線アクセスポイントとしてＢｌｕｅｔｏｏｔｈとＩＥＥＥ８０２．１１ａの無線ＬＡＮの両方の通信を実行可能なものを適用した場合について、次に説明する。
【００６７】
一般に、ＩＥＥＥ８０２．１１ａは、変調方式にＯＦＤＭ（Ｏｒｔｈｏｇｏｎａｌ  Ｆｒｅｑｕｅｎｃｙ  Ｄｉｖｉｓｉｏｎ  ＭｕｌｔｉＰｌｅｘｉｎｇ）、ＭＡＣ（Ｍｅｄｉａ  Ａｃｃｅｓｓ  Ｃｏｎｔｒｏｌ）層にＣＳＭＡ／ＣＡ（Ｃａｒｒｉｅｒ  Ｓｅｎｓｅ  ＭｕｌｔｉＰｌｅ  Ａｃｃｅｓｓ  ｗｉｔｈ  Ｃｏｌｌｉｓｉｏｎ  ＡｖｏＩＤａｎｃｅ）を使用している。
【００６８】
伝送速度は３６〜５４ＭｂＰｓで、日本では５．１５Ｇ〜５．２５ＧＨｚが割り当てられている。
【００６９】
図６は、本発明の他の実施例にかかる通信システムを示している。
【００７０】
同図において、拠点Ａに１つのＰＤＡと２台のノートＰＣ、およびＢｌｕｅｔｏｏｔｈとＩＥＥＥ８０２．１１ａの無線ＬＡＮの両方の通信を実行可能な無線アクセスポイントが存在し、拠点Ｂには、１つのＰＤＡと２台のノートＰＣ、およびＢｌｕｅｔｏｏｔｈとＩＥＥＥ８０２．１１ａの無線ＬＡＮの両方の通信を実行可能な無線アクセスポイントが存在している。
【００７１】
拠点Ａおよび拠点Ｂに存在するＰＤＡはＢｌｕｅｔｏｏｔｈによる電話通信が実行可能で、拠点Ａおよび拠点Ｂに存在するノートＰＣには全てＩＥＥＥ８０２．１１ａの無線ＬＡＮカード（ＰＣＭＣＩＡカード）が装着されており、ＩＥＥＥ８０２．１１ａの無線通信が実行可能な状態である。
【００７２】
ここで、拠点Ａおよび拠点Ｂに存在するノートＰＣは全て、ＤＨＣＰサーバからIＰアドレスを取得するようになっている。また、拠点Ａおよび拠点Ｂに存在する無線アクセスポイントは、無線ＬＡＮに接続した端末の情報として端末のIＰアドレスとホスト名を収集する。
【００７３】
拠点ＡのＰＤＡ２０は上述した実施例と同様の手順を実行して、拠点ＢのＰＤＡ５と音声通信を実行している。
【００７４】
拠点ＡのノートＰＣ２３が拠点ＢにあるノートＰＣ２９へ例えばマイクロソフト社製のＮｅｔＭｅｅｔｉｎｇを使用してファイル転送する場合、ノートＰＣ２３は無線アクセスポイント２２を介して拠点Ｂの無線アクセスポイント２５に端末情報の問い合わせを行う。
【００７５】
無線アクセスポイント２５は収集している端末情報を返す。
【００７６】
ノートＰＣ２３は受信したホスト名リストを表示し、ノートＰＣ２３のユーザは予めノートＰＣ２９がＮｅｔＭｅｅｔｉｎｇを実行できることを知っているため、無線アクセスポイント２２と無線アクセスポイント２５を介してノートＰＣ２９へＮｅｔＭｅｅｔｉｎｇで接続する。
【００７７】
このようにして、拠点Ａと拠点Ｂに存在する無線端末同士が異なる無線通信を同時に実行することが可能となる。
【００７８】
なお、上述した各実施例における具体的なプロトコルやアプリケーションは、当該プロトコルやアプリケーションと同等の機能を備えた他のプロトコルおよびアプリケーションに置き換えることもできる。
【図面の簡単な説明】
【００７９】
【図１】本発明の一実施例にかかる通信システムの一例を示したブロック図。
【図２】ＢｌｕｅｔｏｏｔｈのＰＡＮプロファイルのプロトコル構成を示した概略図。
【図３】コードレス電話プロファイルのプロトコル構成を示した概略図。
【図４】Ｂｌｕｅｔｏｏｔｈアクセスポイントの作用を説明するためのブロック図。
【図５】Ｂｌｕｅｔｏｏｔｈアクセスポイント４が音声通信できる端末との間に通信コネクションを確立する手順の一例を示したフローチャート。
【図６】本発明の他の実施例にかかる通信システムを示したブロック図。
【符号の説明】
【００８０】
１，５  ＰＤＡ
【００８１】
３，４，２０  Ｂｌｕｅｔｏｏｔｈアクセスポイント
【００８２】
１０，１１，２３，２９  ノートＰＣ
【００８３】
２２，２５  無線アクセスポイント
【図１】
2005086610.tif 000003
【図２】
2005086610.tif 000004
【図３】
2005086610.tif 000005
【図４】
2005086610.tif 000006
【図５】
2005086610.tif 000007
【図６】
2005086610.tif 000008